【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
有底筒状のシリンダ本体と、
該シリンダ本体内に一側が摺動可能に挿入されるとともに他側が前記シリンダ本体から突出して設けられ、前記シリンダ本体との間に液圧を発生する圧力室を形成するピストンと、
前記ピストンの前記シリンダ本体から突出した他側を覆いつつ伸縮自在に形成されるとともに、前記ピストンの後退限を規定するプロテクタ部材とを備え、
該プロテクタ部材は、一側が前記シリンダ本体に係止される第１のカバー部材と、一側が該第１のカバー部材の他側に摺動可能に係合される第２のカバー部材と、からなり、
該第２のカバー部材の一側の外周面が前記第１のカバー部材の他側の内周面に摺動可能に係合され、
前記第２のカバー部材の一側には、前記第１のカバー部材の内周面で摺動する大径部が形成されている
ことを特徴とするマスタシリンダ。
【請求項２】
前記第１のカバー部材の他側には、前記第２のカバー部材を前記ピストンの軸方向と平行に移動可能に案内するガイド部が形成されていることを特徴とする請求項１記載のマスタシリンダ。
【請求項３】
前記プロテクタ部材は、前記ピストンの前記シリンダ本体から突出した他側で前記ピストンの後退限を規定することを特徴とする請求項１または２記載のマスタシリンダ。
【請求項４】
前記プロテクタ部材は、前記第１のカバー部材に対して前記第２のカバー部材の伸長方向の移動限が決められるとともに、前記第２のカバー部材の他側に中央に挿入穴が形成された円板部を有し、該円板部が前記ピストンの前記シリンダ本体から突出した他側の端面と当接することを特徴とする請求項１乃至３のいずれか一項記載のマスタシリンダ。
【請求項５】
有底筒状のシリンダ本体と、
該シリンダ本体内に一側が摺動可能に挿入されるとともに他側が前記シリンダ本体から突出して設けられ、前記シリンダ本体との間に液圧を発生する圧力室を形成するピストンと、
前記ピストンの前記シリンダ本体から突出した他側を覆いつつ伸縮自在に形成されるとともに、前記ピストンの後退限を規定するプロテクタ部材とを備え、
前記ピストンはブースタの出力ロッドが当接するようになっており、前記プロテクタ部材は、前記出力ロッドが所定量以上前進したときに縮むことを特徴とするマスタシリンダ。
【請求項６】
前記プロテクタ部材は、前記ブースタの出力ロッドの前進限までの移動を許容することを特徴とする請求項５記載のマスタシリンダ。
【請求項７】
前記プロテクタ部材は、一側が前記シリンダ本体に係止される第１のカバー部材と、一側が該第１のカバー部材の他側に摺動可能に係合される第２のカバー部材と、からなり、
前記第２のカバー部材の一側の外周面が、前記第１のカバー部材の他側の内周面に摺動可能に係合することを特徴とする請求項５または６に記載のマスタシリンダ。
【請求項８】
前記プロテクタ部材は、一側が前記シリンダ本体に係止される第１のカバー部材と、一側が該第１のカバー部材の他側に摺動可能に係合される第２のカバー部材と、からなり、
前記第２のカバー部材の一側の内周面が、前記第１のカバー部材の他側の外周面に摺動可能に係合することを特徴とする請求項５または６に記載のマスタシリンダ。
【手続補正２】
【補正対象書類名】明細書
【補正対象項目名】０００５
【補正方法】変更
【補正の内容】
【０００５】
上記目的を達成するために、請求項１に係る発明は、有底筒状のシリンダ本体と、該シリンダ本体内に一側が摺動可能に挿入されるとともに他側が前記シリンダ本体から突出して設けられ、前記シリンダ本体との間に液圧を発生する圧力室を形成するピストンと、前記ピストンの前記シリンダ本体から突出した他側を覆いつつ伸縮自在に形成されるとともに、前記ピストンの後退限を規定するプロテクタ部材とを備え、該プロテクタ部材は、一側が前記シリンダ本体に係止される第１のカバー部材と、一側が該第１のカバー部材の他側に摺動可能に係合される第２のカバー部材と、からなり、該第２のカバー部材の一側の外周面が前記第１のカバー部材の他側の内周面に摺動可能に係合され、前記第２のカバー部材の一側には、前記第１のカバー部材の内周面で摺動する大径部が形成されていることを特徴としている。  
【手続補正３】
【補正対象書類名】明細書
【補正対象項目名】０００６
【補正方法】変更
【補正の内容】
【０００６】
請求項２に係る発明は、請求項１に係る発明において、前記第１のカバー部材の他側には、前記第２のカバー部材を前記ピストンの軸方向と平行に移動可能に案内するガイド部が形成されていることを特徴としている。  
【手続補正４】
【補正対象書類名】明細書
【補正対象項目名】０００７
【補正方法】変更
【補正の内容】
【０００７】
請求項３に係る発明は、請求項１または２に係る発明において、前記プロテクタ部材は、前記ピストンの前記シリンダ本体から突出した他側で前記ピストンの後退限を規定することを特徴としている。  
【手続補正５】
【補正対象書類名】明細書
【補正対象項目名】０００８
【補正方法】変更
【補正の内容】
【０００８】
請求項４に係る発明は、請求項１乃至３のいずれか一項に係る発明において、前記プロテクタ部材は、前記第１のカバー部材に対して前記第２のカバー部材の伸長方向の移動限が決められるとともに、前記第２のカバー部材の他側に中央に挿入穴が形成された円板部を有し、該円板部が前記ピストンの前記シリンダ本体から突出した他側の端面と当接することを特徴としている。  
【手続補正６】
【補正対象書類名】明細書
【補正対象項目名】０００９
【補正方法】変更
【補正の内容】
【０００９】
請求項５に係る発明は、有底筒状のシリンダ本体と、該シリンダ本体内に一側が摺動可能に挿入されるとともに他側が前記シリンダ本体から突出して設けられ、前記シリンダ本体との間に液圧を発生する圧力室を形成するピストンと、前記ピストンの前記シリンダ本体から突出した他側を覆いつつ伸縮自在に形成されるとともに、前記ピストンの後退限を規定するプロテクタ部材とを備え、前記ピストンはブースタの出力ロッドが当接するようになっており、前記プロテクタ部材は、前記出力ロッドが所定量以上前進したときに縮むことを特徴としている。  
【手続補正７】
【補正対象書類名】明細書
【補正対象項目名】００１０
【補正方法】変更
【補正の内容】
【００１０】
請求項６に係る発明は、請求項５に係る発明において、前記プロテクタ部材は、前記ブースタの出力ロッドの前進限までの移動を許容することを特徴としている。  
【手続補正８】
【補正対象書類名】明細書
【補正対象項目名】００１１
【補正方法】変更
【補正の内容】
【００１１】
請求項７に係る発明は、請求項５または６に係る発明において、前記プロテクタ部材は、一側が前記シリンダ本体に係止される第１のカバー部材と、一側が該第１のカバー部材の他側に摺動可能に係合される第２のカバー部材と、からなり、前記第２のカバー部材の一側の外周面が、前記第１のカバー部材の他側の内周面に摺動可能に係合することを特徴としている。
請求項８に係る発明は、請求項５または６に係る発明において、前記プロテクタ部材は、一側が前記シリンダ本体に係止される第１のカバー部材と、一側が該第１のカバー部材の他側に摺動可能に係合される第２のカバー部材と、からなり、
前記第２のカバー部材の一側の内周面が、前記第１のカバー部材の他側の外周面に摺動可能に係合することを特徴としている。
【手続補正９】
【補正対象書類名】明細書
【補正対象項目名】００１２
【補正方法】変更
【補正の内容】
【００１２】
本発明によれば、一側においてシリンダ本体に挿入されたピストンのシリンダ本体から突出する他側を、伸縮自在に形成されたプロテクタ部材によって覆うため、ピストンの露出部分に傷が付くのを防止することができる。
一側においてシリンダ本体に挿入されたピストンのシリンダ本体から突出する他側を、伸縮自在に形成されたプロテクタ部材によって覆うため、ピストンの露出部分に傷が付くのを防止することができる。その上で、このプロテクタ部材がピストンの後退限を規定するため、ピストンの後退限を規定するための別途のストッパを設ける必要がなくなる。したがって、構造を簡素化でき、全体の組み付け性を向上できる。
特に、請求項１に係る発明によれば、ピストンが後退すると、このピストンの端面に当接する第２のカバー部材が、これに係合されるとともにシリンダ本体に係止された第１のカバー部材に対し摺動することでプロテクタ部材が伸縮可能となっている。このように、ピストンのシリンダ本体から突出した他側を覆い且つピストンの後退限を規定することが、確実に簡素な構成でできる。また、プロテクタ部材が、シリンダ本体に係止される第１のカバー部材の内周面に対して、ピストンの端面に当接する第２のカバー部材の外周面を摺動可能に係合させるため、先細の形状となり、スペース効率を向上できる。さらに、第２のカバー部材の一側には、第１のカバー部材の内周面で摺動する大径部が形成されているため、この大径部に隣り合う段部よって第２のカバー部材の移動限を容易に設定でき、これによりピストンの後退限を規定することが、さらに簡素な構成でできる。
【手続補正１０】
【補正対象書類名】明細書
【補正対象項目名】００１３
【補正方法】変更
【補正の内容】
【００１３】
請求項２に係る発明によれば、シリンダ本体に係止される第１のカバー部材に設けられたガイド部が、ピストンの端面に当接して移動する第２のカバー部材をピストンの軸方向と平行に移動するように案内するため、第２のカバー部材を安定して移動させることができる。プロテクタ部材が、ピストンのシリンダ本体から突出した他側でピストンの後退限を規定するため、プロテクタ部材自体の組み付け性が良好となり、その結果、全体の組み付け性をさらに向上できる。  
【手続補正１１】
【補正対象書類名】明細書
【補正対象項目名】００１４
【補正方法】変更
【補正の内容】
【００１４】
請求項３に係る発明によれば、プロテクタ部材が、ピストンのシリンダ本体から突出した他側でピストンの後退限を規定するため、プロテクタ部材自体の組み付け性が良好となり、その結果、全体の組み付け性をさらに向上できる。  
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】